(57)【特許請求の範囲】
【請求項１】
カメラを備えた携帯用通信装置であって、
該装置は、
ヒンジ部を有している本体と、
該本体のヒンジ部に設置されたブッシングであって、開口部を有しているブッシングと、
該開口部に回転可能に結合された回転軸部材を有しているカメラモジュールであって、該カメラを収容するように適合されたカメラモジュールと、
回転角度固定手段と
を備えており、
該回転角度固定手段が、該回転軸部材の外周面において連続的に形成された溝を有している歯部と、該開口部の内周面に配置された弾性係止部材であって、該歯部において該溝を弾力的に係合する弾性係止部材とを備えており、該弾性係止部材が、突起部と、該突起部の両側から延びている固定部とを備えており、該固定部が、該ブッシングに形成された溝に挿入され、該突起部が、該歯部に対して弾力的に移動し、該溝を係合することを特徴とする、装置。
【請求項２】
前記歯部が、前記回転軸部材と一体に構成されている、請求項１に記載の装置。
【請求項３】
少なくとも１つの弾性係止部材が、可撓性であり、前記ブッシングに対してわずかに移動し得る、請求項１に記載の装置。
【請求項４】
カメラを備えた携帯用通信装置であって、
該装置は、
ヒンジ部を有している本体と、
該本体のヒンジ部に設置されたブッシングであって、開口部を有しているブッシングと、
該開口部に回転可能に結合された回転軸部材を有しているカメラモジュールと、
回転角度固定手段と
を備えており、
該回転角度固定手段が、該開口部の内周面において連続的に形成された溝を有している歯部と、該回転軸部材の外周面に配置された突起部であって、該歯部において該溝を弾力的に係合する突起部とを備えており、該突起部が、該突起部を弾力的に変形させるためのホールを有しており、該ホールが、回転軸の円周方向に形成されていることを特徴とする、装置。
【請求項５】
前記歯部が、前記ブッシングと一体に構成されている、請求項４に記載の装置。
【請求項６】
前記突起部が、前記回転軸部材と一体に構成されている、請求項４に記載の装置。
【請求項７】
少なくとも１つの突起部が、可撓性であり、前記回転軸部材に対してわずかに移動し得る、請求項４に記載の装置。
【発明の詳細な説明】
【技術分野】
【０００１】
本発明は、携帯用端末機の回転型カメラに係るもので、詳しくは、カメラの回転角度の調整が容易で、その調整されたカメラの回転角度をそのまま維持することができる携帯用端末機の回転型カメラに関するものである。
【背景技術】
【０００２】
最近、携帯用端末機は、通信機能に加えて、インターネット、マルチメディアなどの映像サービス機能が提供されるだけでなく、多様な形態の回転可能なカメラを具備することによって撮影機能を有するようになるなど、その機能の領域が多様化されている。
【０００３】
図１５は、従来のカメラ付き携帯用端末機を示した斜視図、図１６は、従来の携帯用端末機の回転型カメラを示した斜視図で、図示されたように、従来のカメラ付き携帯用端末機１においては、本体２０と、該本体２０にヒンジ部３０を介して回動自在に連結された蓋体４０と、を含んで構成されている。
【０００４】
前記ヒンジ部３０の中間にはブッシング（ｂｕｓｈｉｎｇ）５０が設置され、該ブッシング５０にはカメラ１０が回転自在に設置されている。
【０００５】
前記カメラ１０は、円筒状のカメラハウジング１１と、該カメラハウジング１１の内部に設置されるカメラレンズ１２と、該カメラレンズ１２と連結される可撓性のフレキシブル印刷回路基板（以下、ＦＰＣＢと略称する）１３と、から構成されている。
【０００６】
従来の携帯用端末機の回転型カメラ１０においては、前記ブッシング５０と前記カメラハウジング１１間に発生する摩擦力により、前記カメラ１０の回転角度が調節されるように構成されている。
【発明の開示】
【発明が解決しようとする課題】
【０００７】
然るに、このような従来の携帯用端末機の回転型カメラにおいては、前記カメラ１０が回転されるとき、前記ＦＰＣＢ１３が前記カメラハウジング１１に巻かれるようになるが、このとき、前記ＦＰＣＢ１３の弾性復元力により巻かれていた前記ＦＰＣＢ１３が繰り出されることによって、前記カメラハウジング１１が任意の角度に回転されるため、所望のカメラの回転角度を維持することができないという不都合な点があった。
【０００８】
本発明は、このような従来の課題に鑑みてなされたもので、カメラの回転角度の調整が非常に容易であるだけでなく、使用者により調整されたカメラの回転角度をそのまま維持することができる携帯用端末機の回転型カメラを提供することを目的とする。
【課題を解決するための手段】
【０００９】
本発明による携帯用端末機の回転型カメラは、本体と蓋体との間に介在されたヒンジ部に設置されるブッシングと、該ブッシングに回転自在に設置できるように、中心に回転軸が形成されるカメラハウジングと、該カメラハウジングの内部に設置されるカメラモジュールと、前記カメラハウジングの回転角度を一定に維持できるように、前記カメラハウジングと前記ブッシングとに設けられるカメラハウジング回転角度固定手段と、を含んで構成されることを特徴とし、これにより上記目的を達成する。
【００１０】
前記カメラハウジング回転角度固定手段は、前記カメラハウジングの回転軸の外周面に形成される歯部と、該歯部に弾力的に接触されるように、前記ブッシングに設置される弾性係止部材と、から構成されることを特徴としてもよい。
【００１１】
前記ブッシングの一側には、前記弾性係止部材が挿合される挿合ホールが形成されることを特徴としてもよい。
【００１２】
前記弾性係止部材は、板バネであることを特徴としてもよい。
【００１３】
前記弾性係止部材は、前記挿合ホールに挿合されて固定される固定部と、前記歯部に接触される接触突起部と、から構成されることを特徴としてもよい。
【００１４】
前記カメラハウジング回転角度固定手段は、前記カメラハウジングの回転角度を制限できるように、前記カメラハウジングの回転軸の外周面に形成されたストッパーに突成される係止突起と、該係止突起が弾力的に接触されるように、前記ブッシングに形成される歯部と、から構成されることを特徴としてもよい。
【００１５】
前記ストッパーには、前記係止突起が前記歯部に弾力的に接触されるように、ホールが形成されることを特徴としてもよい。
【００１６】
前記ホールは、前記回転軸の円周方向に沿って長く形成されることを特徴としてもよい。
【００１７】
前記カメラハウジング回転角度固定手段は、前記カメラハウジングの回転角度を制限できるように、前記カメラハウジングの回転軸の外周面に形成されたストッパーに固定される弾性係止部材と、該弾性係止部材が弾力的に接触されるように、前記ブッシングに形成される歯部と、から構成されることを特徴としてもよい。
【００１８】
前記弾性係止部材は、前記ストッパーに形成された挿合溝に挿合されることを特徴としてもよい。
【００１９】
前記弾性係止部材は、板バネであることを特徴としてもよい。
【００２０】
前記弾性係止部材は、前記挿合溝に挿合されて固定される固定部と、前記歯部に接触される接触突起部と、から構成されることを特徴としてもよい。
【００２１】
前記カメラハウジング回転角度固定手段は、前記カメラハウジングの回転軸に固定される弾性係止部材と、該弾性係止部材が弾力的に接触されるように、前記ブッシングに設置される歯部材と、から構成されることを特徴としてもよい。
【００２２】
前記弾性係止部材の中間には、前記弾性係止部材が前記カメラハウジングの回転軸に固定されることができるように、固定溝が形成され、前記カメラハウジングの回転軸には、前記固定溝に挿合されるように、固定突起が形成されることを特徴としてもよい。
【００２３】
前記歯部材は、内周面に歯を有するリング状であることを特徴としてもよい。
【００２４】
前記弾性係止部材は、前記回転軸に固定される固定部と、該固定部から回転軸方向に延長形成されて弾性力を提供する延長部と、該延長部から折曲形成される突起保持部と、前記歯部材に接触されるように、前記突起保持部から延長形成される係止突起部と、から構成されることを特徴としてもよい。
【００２５】
前記カメラハウジング回転角度固定手段は、前記カメラハウジングの側面に形成される歯部と、該歯部に弾力的に接触されるように、前記ブッシングに設置される弾性係止部材と、から構成されることを特徴としてもよい。
【００２６】
前記ブッシングの一側には、前記弾性係止部材が挿合される挿合溝が形成されることを特徴としてもよい。
【００２７】
このような目的を達成するため、本発明に係る携帯用端末機の回転型カメラにおいては、本体と蓋体との間に介在されたヒンジ部に設置されるブッシングと、該ブッシングに回転自在に設置できるように、中心に回転軸が形成されるカメラハウジングと、該カメラハウジングの内部に設置されるカメラモジュールと、前記カメラハウジングの回転角度を一定に維持できるように、前記カメラハウジングと前記ブッシングとに設けられるカメラハウジング回転角度固定手段と、を含んで構成されることを特徴とする。
【００２８】
前記カメラハウジング回転角度固定手段は、前記カメラハウジングの回転軸の外周面に形成される歯部と、該歯部に弾力的に接触されるように、前記ブッシングに設置される弾性係止部材と、から構成される。
【００２９】
また、前記カメラハウジング回転角度固定手段は、前記カメラハウジングの回転角度を制限できるように、前記カメラハウジングの回転軸の外周面に形成されたストッパーに突成される係止突起と、該係止突起が弾力的に接触されるように、前記ブッシングに形成される歯部と、から構成される。
【００３０】
また、前記カメラハウジング回転角度固定手段は、前記カメラハウジングの回転角度を制限できるように、前記カメラハウジングの回転軸の外周面に形成されたストッパーに固定される弾性係止部材と、該弾性係止部材が弾力的に接触されるように、前記ブッシングに形成される歯部と、から構成される。
【００３１】
また、前記カメラハウジング回転角度固定手段は、前記カメラハウジングの回転軸に固定される弾性係止部材と、該弾性係止部材が弾力的に接触されるように、前記ブッシングに設置される歯部材と、から構成される。
【００３２】
また、前記カメラハウジング回転角度固定手段は、前記カメラハウジングの側面に形成される歯部と、該歯部に弾力的に接触されるように、前記ブッシングに設置される弾性係止部材と、から構成される。
【発明の効果】
【００３３】
以上説明したように、本発明に係る携帯用端末機の回転型カメラにおいては、カメラの回転角度の調整が非常に容易であるだけでなく、使用者により調整されたカメラの回転角度がそのまま維持されるため、製品に対する信頼性を向上させることができるという効果がある。
【発明を実施するための最良の形態】
【００３４】
以下、本発明の実施の形態について、図面に基づいて説明する。
【００３５】
図１は、本発明に係る携帯用端末機の回転型カメラの第１実施形態を示した斜視図、図２は、図１の分解斜視図、図３は、図１のカメラハウジングを示した斜視図、図４は、図１のＡ−Ａ線断面図で、図示されたように、本発明の第１実施形態による携帯用端末機の回転型カメラ１００においては、本体２０（図１５参照）と蓋体４０（図１５参照）との間に介在されたヒンジ部３０（図１５参照）に設置されるブッシング５０と、該ブッシング５０に回転自在に設置できるように、中心に回転軸１１ａが形成されるカメラハウジング１１と、該カメラハウジング１１の内部に設置されるカメラモジュール１２と、前記カメラハウジング１１の回転角度を一定に維持できるように、前記カメラハウジング１１と前記ブッシング５０とに設けられるカメラハウジング回転角度固定手段と、を含んで構成されている。
【００３６】
前記カメラハウジング回転角度固定手段は、前記カメラハウジング１１の回転軸１１ａの外周面に形成される歯部１３１と、該歯部１３１に弾力的に接触されるように、前記ブッシング５０に設置される弾性係止部材１３２と、から構成される。
【００３７】
前記ブッシング５０の一側には、前記弾性係止部材１３２が挿合される挿合ホール１３３が形成されている。
【００３８】
前記弾性係止部材１３２は板バネからなり、前記挿合ホール１３３に挿合されて固定される固定部１３２ａと、前記歯部１３１に接触される接触突起部１３２ｂと、から構成されている。
【００３９】
前記ブッシング５０の両側には、前記カメラハウジング１１の回転軸１１ａを保持する保持部５１が形成され、該保持部５１には、前記回転軸１１ａが挿合される挿合溝５２が形成されている。
【００４０】
このように構成された本発明に係る携帯用端末機の回転型カメラの第１実施形態においては、使用者がカメラ１００の撮影角度を調節するため前記カメラ１００を回転させるとき、前記弾性係止部材１３２の接触突起部１３２ｂが前記歯部１３１に弾力的に係止されることによって、前記カメラ１００は、使用者が調整したカメラの回転角度をそのまま維持するようになる。
【００４１】
図５は、本発明に係る携帯用端末機の回転型カメラの第２実施形態を示した分解斜視図、図６は、図５の縦断面図で、図示されたように、本発明の第２実施形態による携帯用端末機の回転型カメラ２００においては、本体２０（図１５参照）と蓋体４０（図１５参照）との間に介在されたヒンジ部３０（図１５参照）に設置されるブッシング５０と、該ブッシング５０に回転自在に設置できるように、中心に回転軸１１ａが形成されるカメラハウジング１１と、該カメラハウジング１１の内部に設置されるカメラモジュール１２と、前記カメラハウジング１１の回転角度を一定に維持できるように、前記カメラハウジング１１と前記ブッシング５０とに設けられるカメラハウジング回転角度固定手段と、を含んで構成されている。
【００４２】
前記カメラハウジング回転角度固定手段は、前記カメラハウジング１１の回転角度を制限できるように、前記カメラハウジング１１の回転軸１１ａの外周面に形成されたストッパー１１ｂに突成される係止突起２３１と、該係止突起２３１が弾力的に接触されるように、前記ブッシング５０に形成される歯部２３２と、から構成される。
【００４３】
前記ストッパー１１ｂには、前記係止突起２３１が前記歯部２３２に弾力的に接触されるように、ホール１１ｃが形成されている。
【００４４】
該ホール１１ｃは、前記回転軸１１ａの円周方向に沿って長く形成されている。
【００４５】
このように構成された本発明に係る携帯用端末機の回転型カメラの第２実施形態においては、使用者がカメラ２００の撮影角度を調節するため前記カメラ２００を回転させるとき、前記係止突起２３１が前記歯部２３２に弾力的に係止されることによって、前記カメラ２００は、使用者が調整したカメラの回転角度をそのまま維持するようになる。
【００４６】
図７は、本発明に係る携帯用端末機の回転型カメラの第３実施形態を示した分解斜視図、図８は、図７の縦断面図で、図示されたように、本発明の第３実施形態による携帯用端末機の回転型カメラ３００においては、本体２０（図１５参照）と蓋体４０（図１５参照）との間に介在されたヒンジ部３０（図１５参照）に設置されるブッシング５０と、該ブッシング５０に回転自在に設置できるように、中心に回転軸１１ａが形成されるカメラハウジング１１と、該カメラハウジング１１の内部に設置されるカメラモジュール１２と、前記カメラハウジング１１の回転角度を一定に維持できるように、前記カメラハウジング１１と前記ブッシング５０とに設けられるカメラハウジング回転角度固定手段と、を含んで構成されている。
【００４７】
前記カメラハウジング回転角度固定手段は、前記カメラハウジング１１の回転角度を制限できるように、前記カメラハウジング１１の回転軸１１ａの外周面に形成されたストッパー１１ｂに固定される弾性係止部材３３１と、該弾性係止部材３３１が弾力的に接触されるように、前記ブッシング５０に形成される歯部３３２と、から構成される。
【００４８】
前記弾性係止部材３３１は、前記ストッパー１１ｂに形成された挿合溝３３３に挿合されるように形成されている。
【００４９】
前記弾性係止部材３３１は板バネからなり、前記挿合溝３３３に挿合されて固定される固定部３３１ａと、前記歯部３３２に接触される接触突起部３３１ｂと、から構成されている。
【００５０】
このように構成された本発明に係る携帯用端末機の回転型カメラの第３実施形態においては、使用者がカメラ３００の撮影角度を調節するため前記カメラ３００を回転させるとき、前記弾性係止部材３３１の接触突起部３３１ｂが前記歯部３３２に弾力的に接触されることによって、前記カメラ３００は、使用者が調整したカメラの回転角度をそのまま維持するようになる。
【００５１】
また、図９は、本発明に係る携帯用端末機の回転型カメラの第４実施形態を示した分解斜視図、図１０は、図９の歯部材と弾性係止部材との結合を示した斜視図、図１１は、図９の弾性係止部材を示した斜視図、図１２は、図１０のＢ−Ｂ線断面図で、図示されたように、本発明の第４実施形態による携帯用端末機の回転型カメラ４００においては、本体２０（図１５参照）と蓋体４０（図１５参照）との間に介在されたヒンジ部３０（図１５参照）に設置されるブッシング５０と、該ブッシング５０に回転自在に設置できるように、中心に回転軸１１ａが形成されるカメラハウジング１１と、該カメラハウジング１１の内部に設置されるカメラモジュール１２と、前記カメラハウジング１１の回転角度を一定に維持できるように、前記カメラハウジング１１と前記ブッシング５０とに設けられるカメラハウジング回転角度固定手段と、を含んで構成されている。
【００５２】
前記カメラハウジング回転角度固定手段は、前記カメラハウジング１１の回転軸１１ａに固定される弾性係止部材４３１と、該弾性係止部材４３１が弾力的に接触されるように、前記ブッシング５０に設置される歯部材４３２と、から構成される。
【００５３】
前記弾性係止部材４３１の中間には、前記弾性係止部材４３１が前記カメラハウジング１１の回転軸１１ａに固定されることができるように、固定溝４３３が形成され、前記カメラハウジング１１の回転軸１１ａには、前記固定溝４３３に挿合されるように、固定突起４３４が形成されている。
【００５４】
前記歯部材４３２は、内周面に歯を有するリング状からなり、前記弾性係止部材４３１は、前記回転軸１１ａに固定される固定部４３１ａと、該固定部４３１ａから回転軸方向に延長形成されて弾性力を提供する延長部４３１ｂと、該延長部４３１ｂから折曲形成される突起保持部４３１ｃと、前記歯部材４３２に接触されるように、前記突起保持部４３１ｃから延長形成される係止突起部４３１ｄと、から構成されている。
【００５５】
このように構成された本発明に係る携帯用端末機の回転型カメラの第４実施形態においては、使用者がカメラ４００の撮影角度を調節するため前記カメラ４００を回転させるとき、前記弾性係止部材４３１の係止突起部４３１ｄが前記歯部材４３２に弾力的に接触されることによって、前記カメラ４００は、使用者が調整したカメラの回転角度をそのまま維持するようになる。
【００５６】
また、図１３は、本発明に係る携帯用端末機の回転型カメラの第５実施形態を示した分解斜視図、図１４は、図１３の平断面図で、図示されたように、本発明の第５実施形態による携帯用端末機の回転型カメラ５００においては、本体２０（図１５参照）と蓋体４０（図１５参照）との間に介在されたヒンジ部３０（図１５参照）に設置されるブッシング５０と、該ブッシング５０に回転自在に設置できるように、中心に回転軸１１ａが形成されるカメラハウジング１１と、該カメラハウジング１１の内部に設置されるカメラモジュール１２と、前記カメラハウジング１１の回転角度を一定に維持できるように、前記カメラハウジング１１と前記ブッシング５０とに設けられるカメラハウジング回転角度固定手段と、を含んで構成されている。
【００５７】
前記カメラハウジング回転角度固定手段は、前記カメラハウジング１１の側面に形成される歯部５３１と、該歯部５３１に弾力的に接触されるように、前記ブッシング５０に設置される弾性係止部材５３２と、から構成される。
【００５８】
前記ブッシング５０の一側には、前記弾性係止部材５３２が挿合される挿合溝５３３が形成されている。
【００５９】
このように構成された本発明に係る携帯用端末機の回転型カメラの第５実施形態においては、使用者がカメラ５００の撮影角度を調節するため前記カメラ５００を回転させるとき、前記弾性係止部材５３２が前記歯部５３１に弾力的に接触されることによって、前記カメラ５００は、使用者が調整したカメラの回転角度をそのまま維持するようになる。
【００６０】
以上説明したように、本発明に係る携帯用端末機の回転型カメラにおいては、カメラの回転角度の調整が非常に容易であるだけでなく、使用者により調整されたカメラの回転角度がそのまま維持されるため、製品に対する信頼性を向上させることができるという効果がある。
【００６１】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６２】
（要約）
カメラの回転角度の調整が非常に容易であるだけでなく、使用者により調整されたカメラの回転角度をそのまま維持することができる携帯用端末機の回転型カメラを提供しようとする。
【００６３】
本体２０と蓋体４０との間に介在されたヒンジ部３０に設置されるブッシング５０と、該ブッシング５０に回転自在に設置できるように、中心に回転軸１１ａが形成されるカメラハウジング１１と、該カメラハウジング１１の内部に設置されるカメラモジュール１２と、前記カメラハウジング１１の回転角度を一定に維持できるように、前記カメラハウジング１１と前記ブッシング５０とに設けられるカメラハウジング回転角度固定手段と、を含んで携帯用端末機の回転型カメラを構成する。
【図面の簡単な説明】
【００６４】
【図１】本発明に係る携帯用端末機の回転型カメラの第１実施形態を示した斜視図である。
【図２】図１の分解斜視図である。
【図３】図１のカメラハウジングを示した斜視図である。
【図４】図１のＡ−Ａ線断面図である。
【図５】本発明に係る携帯用端末機の回転型カメラの第２実施形態を示した分解斜視図である。
【図６】図５の縦断面図である。
【図７】本発明に係る携帯用端末機の回転型カメラの第３実施形態を示した分解斜視図である。
【図８】図７の縦断面図である。
【図９】本発明に係る携帯用端末機の回転型カメラの第４実施形態を示した分解斜視図である。
【図１０】図９の歯部材と弾性係止部材との結合を示した斜視図である。
【図１１】図９の弾性係止部材を示した斜視図である。
【図１２】図１０のＢ−Ｂ線断面図である。
【図１３】本発明に係る携帯用端末機の回転型カメラの第５実施形態を示した分解斜視図である。
【図１４】図１３の平断面図である。
【図１５】従来のカメラ付き携帯用端末機を示した斜視図である。
【図１６】図１５の携帯用端末機の回転型カメラを示した斜視図である。
【符号の説明】
【００６５】
１１：カメラハウジング
１１ａ：回転軸
１１ｂ：ストッパー
１１ｃ：ホール
１２：カメラモジュール
２０：本体
３０：ヒンジ
４０：蓋体
５０：ブッシング
５２：挿合溝
１００、２００、３００、４００、５００：携帯用端末機の回転型カメラ
１３１：歯部
１３２：弾性係止部材
１３２ａ：固定部
１３２ｂ：接触突起部
１３３：挿合ホール
２３１：係止突起
２３２：歯部
３３１：弾性係止部材
３３１ａ：固定部
３３１ｂ：接触突起部
３３２：歯部
３３３：挿合溝
４３１：弾性係止部材
４３１ａ：固定部
４３１ｂ：延長部
４３１ｃ：突起保持部
４３１ｄ：係止突起部
４３２：歯部材
４３３：固定溝
４３４：固定突起
５３１：歯部
５３２：弾性係止部材
５３３：挿合溝
【図１】
0004666954.tif 000002
【図２】
0004666954.tif 000003
【図３】
0004666954.tif 000004
【図４】
0004666954.tif 000005
【図５】
0004666954.tif 000006
【図６】
0004666954.tif 000007
【図７】
0004666954.tif 000008
【図８】
0004666954.tif 000009
【図９】
0004666954.tif 000010
【図１０】
0004666954.tif 000011
【図１１】
0004666954.tif 000012
【図１２】
0004666954.tif 000013
【図１３】
0004666954.tif 000014
【図１４】
0004666954.tif 000015
【図１５】
0004666954.tif 000016
【図１６】
0004666954.tif 000017